(57)【特許請求の範囲】
【請求項１】
太陽熱を集める太陽熱集熱器と、
熱媒を貯え、前記太陽熱集熱器が集めた熱を前記熱媒を用いて蓄える蓄熱装置と、
前記蓄熱装置が貯えている前記熱媒を、それぞれが熱消費装置を有する複数の消費者の消費者設備に循環させる熱媒循環路と、
前記熱媒循環路における前記熱媒の循環状態を調節する循環状態調節装置と、
前記循環状態調節装置の動作を制御する運転制御装置と、を備える熱供給システムであって、
前記消費者設備は、前記熱媒循環路を通流する熱媒と前記消費者設備の内部で供給される低温の給水とが熱交換可能な熱交換器を有し、
前記運転制御装置は、前記熱媒の循環開始タイミングになると前記循環状態調節装置の動作を制御して前記熱媒循環路に前記熱媒を循環させ、前記循環開始タイミング以前もしくは前記蓄熱装置に蓄えられている前記熱媒の温度が所定温度未満であれば、前記循環状態調節装置の動作を制御して前記熱媒循環路に前記熱媒を循環させず、
前記運転制御装置はさらに、前記熱媒を循環させた後、前記蓄熱装置から供給されて循環する前記熱媒の温度が設定温度未満になったときに、前記循環状態調節装置の動作を制御して前記熱媒循環路での前記熱媒の循環を停止させる熱供給システム。
【請求項２】
前記循環開始タイミングは、前記複数の消費者による合計の熱消費量が設定量以上に増加するタイミングに対応する請求項１に記載の熱供給システム。
【請求項３】
前記複数の消費者における過去の熱消費量に関する情報を収集する熱消費量情報収集手段と、
前記熱消費量情報収集手段が収集した前記熱消費量に関する情報を記憶する熱消費量情報記憶手段とを備え、
前記運転制御装置は、前記熱消費量情報記憶手段が記憶している前記複数の消費者における前記熱消費量に関する情報を参照して、前記複数の消費者による合計の予測熱消費量を導出し、当該合計の予測熱消費量が前記設定量以上に増加するタイミングを前記循環開始タイミングとして決定する請求項２に記載の熱供給システム。
【請求項４】
前記複数の消費者における前記熱消費装置の予約運転に関する設定情報を収集する設定情報収集手段と、
前記設定情報収集手段が収集した前記設定情報を記憶する設定情報記憶手段とを備え、
前記運転制御装置は、前記設定情報記憶手段が記憶している前記複数の消費者における前記設定情報を参照して、前記複数の消費者における前記熱消費装置の予約運転が実行された場合の前記複数の消費者による合計の予測熱消費量を導出し、当該合計の予測熱消費量が前記設定量以上に増加するタイミングを前記循環開始タイミングとして決定する請求項２に記載の熱供給システム。
【発明の詳細な説明】
【技術分野】
【０００１】
本発明は、太陽熱集熱器が集めた熱を複数の消費者に対して供給可能な熱供給システムに関する。
【背景技術】
【０００２】
集合住宅などに居住する複数の消費者に対して、共通の蓄熱装置に蓄えられた熱を一括して供給する熱供給システムが提案されている。特に、集合住宅に共用の太陽熱集熱器を設け、その太陽熱集熱器で集められた熱を複数の消費者設備に供給可能に構成した熱供給システムが提案されている。例えば、特許文献１に記載の熱供給システムは、太陽熱を集める太陽熱集熱器（２）と、その太陽熱集熱器（２）が集めた熱を、貯えている熱媒を用いて蓄える蓄熱装置（１）と、その蓄熱装置（１）が蓄えている熱媒を複数の消費者設備に向けて循環させる熱媒循環路（１０）とを備える。
【先行技術文献】
【特許文献】
【０００３】
【特許文献１】特開昭６３−２３８３４２号公報
【発明の概要】
【発明が解決しようとする課題】
【０００４】
特許文献１では、太陽熱集熱器で集められた熱を各消費者で有効に活用するために必要な措置が講じられていない。特に、この種の熱供給システムでは、熱供給システムの運用に当たって、比較的長い熱搬送が必要な熱媒循環路に熱媒を通流させたときに放熱が当然に発生するという問題点、及び、太陽熱集熱器が太陽熱を集める時間帯と、複数の消費者が熱を大量に消費する時間帯とが異なるという問題点についての考慮が為されていない。つまり、通常、太陽熱集熱器は昼間の時間帯に太陽熱を集め、その熱が蓄熱装置へ供給される。これに対して、消費者が熱を１日の中で最も多く消費するのは、入浴などが行われる夕方から夜の時間帯である。従って、昼間の時間帯に太陽熱集熱器で集められた熱を蓄熱装置に蓄熱し、蓄熱装置から熱媒循環路へと熱媒の循環を常時行わせていると、夜の時間帯に熱消費が行われるまでの間、熱媒循環路を循環通流する熱媒は、消費者によってほとんど消費されることなく単に放熱されるだけとなる。その結果、太陽熱集熱器で集められた熱を各消費者で有効に活用できなくなる。
【０００５】
本発明は、上記の課題に鑑みてなされたものであり、その目的は、消費者への熱供給を行いつつ、放熱ロスを抑制可能な熱供給システムを提供する点にある。
【課題を解決するための手段】
【０００６】
上記目的を達成するための本発明に係る熱供給システムの特徴構成は、
太陽熱を集める太陽熱集熱器と、
熱媒を貯え、前記太陽熱集熱器が集めた熱を前記熱媒を用いて蓄える蓄熱装置と、
前記蓄熱装置が貯えている前記熱媒を、それぞれが熱消費装置を有する複数の消費者の消費者設備に循環させる熱媒循環路と、
前記熱媒循環路における前記熱媒の循環状態を調節する循環状態調節装置と、
前記循環状態調節装置の動作を制御する運転制御装置と、を備える熱供給システムであって、
前記消費者設備は、前記熱媒循環路を通流する熱媒と前記消費者設備の内部で供給される低温の給水とが熱交換可能な熱交換器を有し、
前記運転制御装置は、前記熱媒の循環開始タイミングになると前記循環状態調節装置の動作を制御して前記熱媒循環路に前記熱媒を循環させ、前記循環開始タイミング以前もしくは前記蓄熱装置に蓄えられている前記熱媒の温度が所定温度未満であれば、前記循環状態調節装置の動作を制御して前記熱媒循環路に前記熱媒を循環させず、
前記運転制御装置はさらに、前記熱媒を循環させた後、前記蓄熱装置から供給されて循環する前記熱媒の温度が設定温度未満になったときに、前記循環状態調節装置の動作を制御して前記熱媒循環路での前記熱媒の循環を停止させる点にある。
【０００７】
上記特徴構成によれば、運転制御装置は、循環開始タイミング以前では熱媒循環路に熱媒を循環させず、循環開始タイミングになると熱媒循環路に熱媒を循環させる。つまり、熱媒循環路に熱媒を循環させない時間帯を設けることで、熱媒循環路で発生し得る熱媒の放熱を抑制できる。また、熱媒の循環開始タイミングになると熱媒循環路に熱媒を循環させることで、各消費者に対して熱媒を確実に供給できる。その結果、太陽熱集熱器で集められた熱が各消費者で有効に活用されることとなる。
従って、消費者への熱供給を行いつつ、放熱ロスを抑制可能な熱供給システムを提供できる。
【０００８】
本発明に係る熱供給システムの別の特徴構成は、前記循環開始タイミングは、前記複数の消費者による合計の熱消費量が設定量以上に増加するタイミングに対応する点にある。
【０００９】
上記特徴構成によれば、複数の消費者による合計の熱消費量が設定量以上に増加するタイミングに対応して熱媒循環路に熱媒が循環されることとなる。つまり、各消費者が熱を大量に消費しようとしたタイミングで、蓄熱装置から太陽熱集熱器で集めた熱を確実に供給できる。
【００１０】
本発明に係る熱供給システムの更に別の特徴構成は、前記複数の消費者における過去の熱消費量に関する情報を収集する熱消費量情報収集手段と、前記熱消費量情報収集手段が収集した前記熱消費量に関する情報を記憶する熱消費量情報記憶手段とを備え、
前記運転制御装置は、前記熱消費量情報記憶手段が記憶している前記複数の消費者における前記熱消費量に関する情報を参照して、前記複数の消費者による合計の予測熱消費量を導出し、当該合計の予測熱消費量が前記設定量以上に増加するタイミングを前記循環開始タイミングとして決定する点にある。
【００１１】
上記特徴構成によれば、上記循環開始タイミングは、複数の消費者における過去の熱消費量に関する情報を参照して導出される、複数の消費者による合計の予測熱消費量が設定量以上に増加するタイミングに決定される。このように、複数の消費者における過去の熱消費量に関する情報を参照することで、実際に複数の消費者の熱消費量が大きくなるタイミングを正確に把握できる。その結果、各消費者が熱を大量に消費しようとしたタイミングで、蓄熱装置から太陽熱集熱器で集めた熱を確実に供給できる。
【００１２】
本発明に係る熱供給システムの更に別の特徴構成は、前記複数の消費者における前記熱消費装置の予約運転に関する設定情報を収集する設定情報収集手段と、前記設定情報収集手段が収集した前記設定情報を記憶する設定情報記憶手段とを備え、
前記運転制御装置は、前記設定情報記憶手段が記憶している前記複数の消費者における前記設定情報を参照して、前記複数の消費者における前記熱消費装置の予約運転が実行された場合の前記複数の消費者による合計の予測熱消費量を導出し、当該合計の予測熱消費量が前記設定量以上に増加するタイミングを前記循環開始タイミングとして決定する点にある。
【００１３】
上記特徴構成によれば、上記循環開始タイミングは、複数の消費者における熱消費装置の予約運転に関する設定情報を参照して導出される、複数の消費者による合計の予測熱消費量が設定量以上に増加するタイミングに決定される。複数の消費者における熱消費装置の予約運転に関する設定情報とは、各消費者が熱消費機器をどのように運転するのかの意思表示であるので、複数の消費者における熱消費装置の予約運転に関する設定情報を参照することで、実際に複数の消費者の熱消費量が大きくなるタイミングを正確に把握できる。その結果、各消費者が熱を大量に消費しようとしたタイミングで、蓄熱装置から太陽熱集熱器で集めた熱を確実に供給できる。
【図面の簡単な説明】
【００１４】
【図１】熱供給システムの構成を説明する図である。
【図２】太陽熱集熱器での集熱量の例を示すグラフである。
【図３】複数の消費者による単位時間（１時間）毎の合計の予測熱消費量の例を示すグラフである。
【図４】複数の消費者による単位時間（１時間）毎の合計の予測熱消費量の例を示すグラフである。
【図５】別の熱供給システムの構成を説明する図である。
【発明を実施するための形態】
【００１５】
＜第１実施形態＞
図１は、第１実施形態の熱供給システムＳ１（Ｓ）の構成を説明する図である。
図１に示す熱供給システムＳ１は、太陽熱集熱器１と蓄熱装置２と熱媒循環路３と循環状態調節装置Ｃとそれら各装置の動作を制御する運転制御装置４とを備え、集合住宅などに居住する複数の消費者に対して熱を供給するシステムである。特に、本実施形態の熱供給システムＳ１は、太陽熱集熱器１で集められた熱を、複数の消費者によって有効に活用させることを目的としている。
【００１６】
太陽熱集熱器１は、太陽熱（太陽からの熱エネルギー）を集める装置である。太陽熱集熱器１が集めた熱は蓄熱装置２に蓄えられる。太陽熱集熱器１と蓄熱装置２との間には熱媒としての水又は不凍液が循環する集熱用熱媒循環路７が設けられる。集熱用熱媒循環路７の途中に設けたポンプＰ２を動作させることで集熱用熱媒循環路７の内部の熱媒の循環が行われる。熱媒は、太陽熱集熱器１へと流入し、そして太陽熱集熱器１で加熱された後、太陽熱集熱器１から流出して蓄熱装置２へ至る。加えて、蓄熱装置２の内部の熱交換部２ａでは、集熱用熱媒循環路７を通流する熱媒と蓄熱装置２に蓄えられている熱媒とが熱交換可能に構成されている。その結果、太陽熱集熱器１で集められた熱は蓄熱装置２に蓄えられる。
【００１７】
図２は、太陽熱集熱器１での集熱量の例を示すグラフである。図２において折れ線グラフで示すのは単位時間（１時間）当たりの集熱量である。図２において棒グラフで示すのは、折れ線グラフで示した１時間あたりの集熱量を１日の中で積算した値である。図２から分かるように、日の出時刻付近から日没時刻付近までの間、太陽熱集熱器１は太陽熱を集めている。棒グラフで示す集熱量の積算値は、実質的に蓄熱装置２に蓄熱される熱量となる。
【００１８】
蓄熱装置２は、水などの熱媒を用いて熱を蓄える。蓄熱装置２には、図１に示すように、貯えられている水（湯水）を蓄熱装置２の外部に通流させる熱媒循環路３が接続されている。以下の説明では、蓄熱装置２に貯えられ、蓄熱装置２から熱媒循環路３へ供給されて循環される熱媒のことを「湯水」と記載する。熱媒循環路３の途中には複数の消費者設備１０が順に接続されているので、蓄熱装置２が貯えている湯水は熱媒循環路３によって複数の消費者設備１０に循環供給されることになる。各消費者設備１０は、例えば、集合住宅の各戸に設けられる設備に対応する。つまり、熱媒循環路３は、蓄熱装置２が貯えている湯水を、それぞれが集合住宅の各戸に設けられている複数の消費者設備１０に循環させるものである。具体的には、熱媒循環路３は、蓄熱装置２から出た湯水が各消費者設備１０へ流入するまでの間に流れる往路３ａと、各消費者設備１０から出た湯水が蓄熱装置２へ戻るまでの間に流れる復路３ｂとに分かれる。熱媒循環路３の往路３ａには、湯水の流量を設定値に調節する定流量弁Ｖ１が設けられている。各消費者設備１０は定流量弁Ｖ１より下流側の熱媒循環路３に接続されているので、各消費者設備１０へ流れ込む湯水の流量は定流量弁Ｖ１によって調節される。以上のように、ポンプＰ１と定流量弁Ｖ１とは、熱媒循環路３における湯水の循環状態を調節する循環状態調節装置Ｃとして機能し、運転制御装置４の動作制御を受ける。
【００１９】
蓄熱装置２に貯えられている湯水の温度は温度センサＴ１で測定される。温度センサＴ１の測定結果は、収集手段５を用いて収集し、運転制御装置４が読み出し可能に記憶手段６に記憶しておくこともできる。本実施形態では、蓄熱装置２の内部で湯水は温度成層を形成しておらず、ほぼ均一になっているものとする。従って、温度センサＴ１で測定される温度が、蓄熱装置２から熱媒循環路３へ供給されて循環される熱媒の温度となる。
【００２０】
次に、消費者設備１０の構成について説明する。
消費者設備１０は、熱媒循環路３を通流する湯水と消費者設備１０の内部で供給される低温の給水とが熱交換可能な熱交換器１３を有している。具体的には、熱交換器１３には熱媒循環路３の往路３ａが引き込まれ、熱交換器１３から出た部分が熱媒循環路３の復路３ｂとなる。消費者設備１０が有する熱消費装置１１には、給水が熱交換器１３で加熱された後に得られる湯水が供給される。その際、必要に応じて、熱交換器１３で加熱された後に得られる湯水に対してミキシングユニット１４で給水が加えられた上で、或いは、熱交換器１３で加熱された後の湯水に対して熱源機１２で更に加熱された上で熱消費装置１１に供給される。熱源機１２としては、例えばガスなどの燃料を燃焼した際の燃焼熱を利用する湯沸器などを利用できる。
【００２１】
消費者設備１０において、熱交換器１３に引き込まれる熱媒循環路３の往路３ａの部分に湯水の流入温度を測定する流入温度センサＴｉｎと湯水の流量を測定する流量計Ｍとが設けられ、熱交換器１３から引き出された熱媒循環路３の復路３ｂの部分に湯水の流出温度を測定する流出温度センサＴｏｕｔが設けられている。流入温度センサＴｉｎ、流量計Ｍ及び流出温度センサＴｏｕｔの測定結果は、設定タイミング毎に収集手段５によって収集される。ここで、熱交換器１３への湯水の流入温度及び流出温度の間の温度差と流量との積を導出すると、熱媒循環路３を通流する湯水が消費者設備１０の熱交換器１３で失った熱量、即ち、消費者の熱消費量となる。つまり、収集手段５が設定タイミング毎に収集する流入温度センサＴｉｎ、流量計Ｍ及び流出温度センサＴｏｕｔの測定結果は、熱消費量に関する情報と言える。更に、運転制御装置４は、収集手段５が設定タイミング毎に収集した上記熱消費量に関する情報を記憶手段６に記憶させることができる。操作部１５は、熱消費装置１１の予約運転に関する設定情報（例えば、風呂湯張り時刻、湯温、湯量など）を操作入力するためのものである。
【００２２】
運転制御装置４は、収集手段５が設定タイミング毎に収集した上記熱消費量に関する情報を記憶手段６にそのまま（即ち、流入温度センサＴｉｎ、流量計Ｍ及び流出温度センサＴｏｕｔの測定結果のまま）記憶させておくか、或いは、上述したように消費者の熱消費量を逐次導出して、その結果を記憶手段６に記憶させておくことができる。運転制御装置４、収集手段５及び記憶手段６は、コンピュータなどの情報処理装置を用いて実現できる。
以上のように、図１に示す収集手段５は、複数の消費者における過去の熱消費量に関する情報を収集する熱消費量情報収集手段として機能する。また、図１に示す記憶手段６は、熱消費量情報収集手段が収集した熱消費量に関する情報を記憶する熱消費量情報記憶手段として機能する。尚、公知の他の手法を用いて複数の消費者における過去の熱消費量に関する情報を収集することも可能である。
【００２３】
図３は、複数の消費者による単位時間（１時間）毎の合計の予測熱消費量の例を示すグラフである。上述のように、運転制御装置４は、各消費者設備１０の熱交換器１３への湯水の流入温度及び流出温度の間の温度差と流量との積を導出することで、各消費者の過去の熱消費量を知ることができる。従って、運転制御装置４は、設定タイミング毎に収集された過去の熱消費量に関する情報を参照して、各消費者の将来の予測熱消費量を例えば単位時間毎の値で導出でき、更に、複数の消費者による合計の予測熱消費量を例えば単位時間毎の値で導出できる。図３に示すように、時刻６時〜時刻７時の間、時刻１２時〜時刻１４時の間、時刻１８時〜時刻２３時の間にそれぞれ複数の消費者による合計の予測熱消費量が大きく現れる。このうち、時刻６時〜時刻７時の間の予測熱消費量と時刻１２時〜時刻１４時の間の予測熱消費量とは図中に示す設定量には満たないが、時刻１８時〜時刻２３時の間の予測熱消費量は全ての時間帯で設定量以上となっている。この設定量のレベルは、運転制御装置４が適宜設定可能である。例えば、この設定量は、複数の消費者による１日の合計の予測熱消費量に対して設定割合となるレベルや、熱媒循環路３に湯水を循環させたときに発生する単位時間当たりの放熱量よりも大きい所定レベル（例えば、単位時間当たりの放熱量に所定の係数をかけた値）に設定できる。このように設定すると、各消費者が１日の中で熱を大量に消費しようとしたタイミングで、蓄熱装置２から太陽熱集熱器１で集めた熱を確実に供給できる。或いは、この設定量を、熱媒循環路３に湯水を循環させたときに発生する単位時間当たりの放熱量と同程度のレベルに設定してもよい。このように設定すると、熱媒循環路３を循環中に各消費者設備１０で消費されずに放熱される熱量をその循環中に実際に消費される熱量以下にでき、太陽熱集熱器１で集めた熱の各消費者設備１０での有効利用を図ることができる。
【００２４】
次に、運転制御装置４が行う、熱媒循環路３における熱媒（湯水）の循環状態を調節する循環状態調節装置Ｃ（ポンプＰ１及び定流量弁Ｖ１）の動作制御について説明する。
図２に例示したように、通常、太陽熱集熱器１は昼間（朝方〜夕方）の時間帯に太陽熱を集め、その熱が蓄熱装置２へ供給されて蓄熱される。これに対して、図３に例示したように、通常、消費者が熱を大量に消費するのは夕方から夜の時間帯である。従って、昼間の時間帯に太陽熱集熱器１で集められた熱を蓄熱装置２に蓄熱し、それと同時に蓄熱装置２から熱媒循環路３へと湯水の循環を常時行わせていると、多くの消費者が夜の時間帯に熱消費を行うまでの間、熱媒循環路３を循環通流する湯水はほとんど消費されることなく単に放熱されるだけとなる。
【００２５】
〔循環開始タイミング〕
本実施形態の熱供給システムＳ１において、運転制御装置４は、湯水の循環開始タイミングになると循環状態調節装置Ｃの動作を制御して熱媒循環路３に湯水を循環させ、循環開始タイミング以前では循環状態調節装置Ｃの動作を制御して熱媒循環路３に湯水を循環させない（即ち、循環停止させる）ような動作制御を行う。この循環開始タイミングは、複数の消費者による合計の熱消費量が設定量以上に増加するタイミングに対応する。つまり、熱媒循環路３での湯水循環を開始させる循環開始タイミングは、複数の消費者における過去の熱消費量に関する情報を参照して導出される、複数の消費者による合計の予測熱消費量が設定量以上に増加するタイミングに決定される。このように、複数の消費者における過去の熱消費量に関する情報を参照することで、実際に複数の消費者の熱消費量が大きくなるタイミングを正確に把握できることとなる。
図３に示した例では、複数の消費者による合計の予測熱消費量が設定量以上に増加するのは、時刻１８時になるタイミングである。そこで、運転制御装置４は、時刻１８時になると循環状態調節装置Ｃの動作を制御して熱媒循環路３での湯水循環を開始させる。
【００２６】
〔循環停止タイミング〕
以上のように、熱媒循環路３での湯水循環を開始させる循環開始タイミングについて説明したが、熱媒循環路３での湯水循環を停止させる循環停止タイミングは適宜設定可能である。例えば、運転制御装置４が、温度センサＴ１によって測定される、蓄熱装置２から熱媒循環路３に供給されて循環する湯水の温度が設定温度未満になったときに上記循環停止タイミングであると判定して、循環状態調節装置Ｃ（ポンプＰ１と定流量弁Ｖ１）によって湯水循環を停止させてもよい。この設定温度は、例えば、給水温度よりも所定温度だけ高い温度に設定しておくことができる。そのような設定をしておけば、熱媒循環路３へ供給されて消費者設備１０の熱交換器１３に流入する湯水の温度は、熱交換器１３に流入する給水の温度よりもほぼ所定温度以上は高くなる。つまり、熱交換器１３では、給水の加熱が確実に行われるという効果が発揮される。これに対して、熱媒循環路３へ供給されて消費者設備１０の熱交換器１３に流入する湯水の温度が、熱交換器１３に流入する給水の温度より所定温度以上高くない場合、熱交換器１３では熱媒循環路３を通流する湯水による給水の加熱が実質的に行われなくなる。このように、運転制御装置４が、実質的に消費者設備に対する熱供給とならないような熱媒循環を停止させることができる。
【００２７】
この例において、温度センサＴ１の測定結果は、収集手段５を用いて収集された情報が利用される。ここで、通常の場合、循環開始タイミングでの蓄熱装置２から熱媒循環路３に供給されて循環する湯水の温度は、循環停止タイミングでの蓄熱装置２から熱媒循環路３に供給されて循環する湯水の温度よりも高い。例えば、循環開始タイミングにおいて蓄熱装置２の全体の湯水の温度が約６０℃である場合、その湯水を熱媒循環路３に供給して循環させると、各消費者設備１０の熱交換器１３で熱が奪われ、その後、熱媒循環路３の復路３ｂを通って再び蓄熱装置２に帰還する湯水の温度は約２０℃程度にまで低下していることもある。このように、循環開始タイミングで熱媒循環路３での湯水循環を開始させた後は、時間経過とともに蓄熱装置２から熱媒循環路３に供給されて循環する湯水の温度は低下傾向となる。
或いは、上述したような循環停止タイミングの判定手法の他にも、運転制御装置４が、循環開始タイミングから一定期間経過すると上記循環停止タイミングであると判定することや、所定の時刻になると上記循環停止タイミングであると判定することなども可能である。
【００２８】
以上のように、特定の時間帯にのみ熱媒循環路３に湯水を循環させる、即ち、熱媒循環路３に湯水を循環させない時間帯を設けることで、熱媒循環路３で発生し得る湯水の放熱を抑制できる。また、湯水の循環開始タイミングになると熱媒循環路３に湯水を循環させることで、各消費者設備１０に対して湯水を確実に供給できる。特に、上記循環開始タイミングを、複数の消費者による合計の熱消費量が設定量以上に増加するタイミングに対応させたことで、複数の消費者による合計の熱消費量が設定量以上に増加したときには、蓄熱装置２から消費者設備１０へ熱を確実に供給できる。
【００２９】
＜第２実施形態＞
第２実施形態の熱供給システムは、熱媒循環路３での湯水循環を開始させる循環開始タイミングの決定手法が第１実施形態とは異なっている。以下に第２実施形態の熱供給システムについて説明するが、第１実施形態と同様の構成については説明を省略する。
【００３０】
本実施形態では、操作部１５を用いて消費者自身によって入力された、熱消費装置１１の予約運転に関する設定情報（例えば、風呂湯張り時刻、湯温、湯量など）は、設定タイミング毎に収集手段５によって収集される。熱消費装置１１の予約運転に関する設定情報が、風呂湯張り時刻、湯温、湯量である場合、設定湯温及び給水温度の間の温度差と設定湯量との積を導出することで、消費者が入浴時に消費する予測熱消費量を決定できる。加えて、風呂湯張り時刻も設定されているので、その時刻に上記予測熱消費量が発生すると決定できる。
【００３１】
運転制御装置４は、収集手段５が設定タイミング毎に収集した上記熱消費装置１１の予約運転に関する設定情報を記憶手段６にそのまま（例えば、風呂湯張り時刻、湯温、湯量のまま）記憶させておくか、或いは、上述したように消費者の予測熱消費量を逐次導出して、その結果（予測熱消費量及びその発生時刻の組み合わせ）を記憶手段６に記憶させておくことができる。
以上のように、第２実施形態では、図１に示した収集手段５は、複数の消費者における熱消費装置１１の予約運転に関する設定情報を収集する設定情報収集手段として機能する。また、図１に示した記憶手段６は、設定情報収集手段が収集した設定情報を記憶する設定情報記憶手段として機能する。
【００３２】
図４は、複数の消費者による単位時間（１時間）毎の合計の予測熱消費量の例を示すグラフである。上述のように、運転制御装置４は、各消費者自身が入力した熱消費装置１１の予約運転に関する設定情報を参照して、各消費者の予測熱消費イベント（予測熱消費量及びその発生時刻）を決定できる。従って、運転制御装置４は、各消費者自身が入力した将来の予測熱消費量を例えば単位時間毎の値で導出でき、更に、複数の消費者による合計の予測熱消費量を例えば単位時間毎の値で導出できる。図４に示すように、例えば入浴が行われる時刻１８時〜時刻２２時の間にそれぞれ複数の消費者による合計の予測熱消費量が大きく現れる。そして、時刻１８時〜時刻２２時の間の予測熱消費量は全ての時間帯で設定量以上となっている。
【００３３】
本実施形態では、運転制御装置４は、記憶手段（設定情報記憶手段）６が記憶している複数の消費者における上記設定情報を参照して、複数の消費者における熱消費装置１１の予約運転が実行された場合の複数の消費者による合計の予測熱消費量を導出し、その合計の予測熱消費量が設定量以上に増加するタイミングを、熱媒循環路３での湯水循環を開始させる循環開始タイミングとして決定する。具体的には、図４に示した例では、運転制御装置４は、予測熱消費量が設定量以上となる時刻１８時を循環開始タイミングと決定して、その時刻１８時になると循環状態調節装置Ｃ（ポンプＰ１及び定流量弁Ｖ１）の動作を制御して熱媒循環路３に湯水を循環させる。
【００３４】
このように、複数の消費者における熱消費装置１１の予約運転に関する設定情報とは、各消費者が熱消費機器をどのように運転するのかの意思表示であるので、複数の消費者における熱消費装置１１の予約運転に関する設定情報を参照することで、実際に複数の消費者の熱消費量が大きくなるタイミングを正確に把握できる。その結果、各消費者が熱を大量に消費しようとしたタイミングで、蓄熱装置２から太陽熱集熱器１で集めた熱を確実に供給できる。
【００３５】
＜別実施形態＞
＜１＞
上記実施形態において、太陽熱集熱器１が集めた熱以外の熱を蓄熱装置２で蓄えるように改変してもよい。例えば、図５は、別の熱供給システムＳ２（Ｓ）の構成を説明する図である。図５に示す熱供給システムＳ２は、熱源装置として、熱と電気とを併せて発生する熱電併給装置２０を備え、その熱電併給装置２０が発生した熱が蓄熱装置２に蓄えられるように構成されている。具体的には、図５に記載の熱供給システムＳ２では、熱媒循環路３の途中に三方弁８を設けることで、熱媒循環路３から熱媒路２１を分岐させている。熱媒路２１には熱電併給装置２０が接続されることで、蓄熱装置２から熱電併給装置２０へ湯水が供給可能となっている。また、それとは別に熱電併給装置２０と蓄熱装置２とを接続する熱媒路２２を設けることで、熱電併給装置２０で加熱された湯水が蓄熱装置２へと帰還するようになっている。蓄熱装置２に貯留されている湯水が熱電併給装置２０へと流入し、その後、蓄熱装置２へと帰還する際の湯水の流れは、熱媒路２２に設けられているポンプＰ３によって形成される。熱電併給装置２０としては、燃料電池や、原動機と発電機とを組み合わせた装置などを採用できる。また、熱源装置として、熱電併給装置２０ではなく例えばヒートポンプ装置やガスボイラーなどの他の装置を設けてもよい。或いは、１台の熱源装置ではなく、複数の熱源装置（熱電併給装置２０、ヒートポンプ装置、ガスボイラーなどの組み合わせ）を併設してもよい。
以上のように、熱供給システムＳ２が、太陽熱集熱器１が集めた熱以外の熱を蓄熱装置２で蓄えることで、蓄熱装置２の蓄熱量を大きく確保できる。その結果、より規模の大きい集合住宅にも対応可能な熱供給システムとなる。
【００３６】
更に、太陽熱集熱器１で集めた熱を蓄熱装置２に予め蓄えておき、各消費者の予測熱消費量の合計から見て不足する分の熱を上記熱電併給装置２０のような他の装置から集めるように構成してもよい。即ち、例えば、時刻１６時までに太陽熱集熱器１から蓄熱装置２に集められた熱量を、温度センサＴ１で測定される温度と蓄熱装置２に貯えられている湯水量とから導出し、その熱量が各消費者の予測熱消費量の合計から見て不足する場合には熱電併給装置２０を運転させて蓄熱装置２に熱を追加で蓄えるような運転形態も可能である。この場合、例えば、時刻１８時の循環開始タイミングの時点において、蓄熱装置２での蓄熱量を各消費者の予測熱消費量の合計から見て不足しないようにできる。この場合、運転制御装置４が、熱電併給装置２０の運転状態を参照して熱電併給装置２０から蓄熱装置２に集めた熱量を導出することで、蓄熱装置２に蓄えられている熱を、太陽熱集熱器１で集めた熱と熱電併給装置２０を運転させて集めた熱とで見かけ上区別することもできる。そして、見かけ上、太陽熱集熱器１で集めた熱が、熱電併給装置２０を運転させて集めた熱よりも優先して各消費者設備１０で消費されると設定することもできる。
【００３７】
尚、図５に示した例において、熱電併給装置２０に流入する湯水を、熱媒循環路３の途中の三方弁８から分岐させる構成ではなく、熱媒循環路３とは別に、蓄熱装置２と熱電併給装置２０との間で湯水を循環させる循環路を独立して設ける構成に改変してもよい。また、蓄熱装置２の内部に追加の熱交換器を設け、且つ、熱電併給装置２０と蓄熱装置２の内部の上記追加の熱交換器との間で熱媒を循環させることで、その熱媒と蓄熱装置２に貯えられている湯水との熱交換（即ち、蓄熱装置２に貯えられている湯水の加熱）を行わせるような改変も可能である。
【００３８】
＜２＞
上記実施形態において、様々な種類の太陽熱集熱器１や蓄熱装置２を用いることができる。例えば、図１では、太陽熱集熱器１として強制循環型の平板型集熱器を想定した図を描いているが、現在用いられている様々な種類の太陽熱集熱器１を本発明の熱供給システムＳで利用できる。また、図１では、蓄熱装置２として開放式の貯水タンクを想定した図を描いているが、密閉式の貯水タンクを用いてもよい。そして、蓄熱装置２の内部で温度成層が形成されるように湯水を貯めてもよい。その場合、蓄熱装置２に貯えられている高温部分の湯水が熱媒循環路３へ供給され、且つ、温度センサＴ１は、その蓄熱装置２から熱媒循環路３に供給される湯水の温度を測定できる位置に設けておくことが好ましい。
【００３９】
＜３＞
上記実施形態では、図３及び図４に例示したように、循環開始タイミングを決定する際に参照する、複数の消費者による合計の予測熱消費量を１時間単位で管理した例を説明したが、その時間単位は適宜変更可能である。例えば、１０分単位や３０分単位などで複数の消費者による合計の予測熱消費量を管理し、循環開始タイミングであるかどうかをその時間単位で判定してもよい。
【００４０】
＜４＞
上記実施形態では、運転制御装置４が、上記循環開始タイミングになると循環状態調節装置Ｃの動作を制御して熱媒循環路３に湯水を循環させる例を説明したが、上記循環開始タイミングになっても熱媒循環路３に湯水を循環させない（即ち、循環停止させておく）ような条件を追加してもよい。例えば、運転制御装置４が、温度センサＴ１によって測定される、蓄熱装置２に蓄えられている湯水の温度が所定温度未満であれば、上記循環開始タイミングになっても循環状態調節装置Ｃの動作を制御して熱媒循環路３に湯水を循環させないような制御を行ってもよい。
【産業上の利用可能性】
【００４１】
本発明は、太陽熱集熱器が集めた熱を複数の消費者に対して供給可能な熱供給システムに利用できる。
【符号の説明】
【００４２】
１  太陽熱集熱器
２  蓄熱装置
３  熱媒循環路
４  運転制御装置
５  収集手段（熱消費量情報収集手段、設定情報収集手段）
６  記憶手段（熱消費量情報記憶手段、設定情報記憶手段）
１０  消費者設備
１１  熱消費装置
Ｃ  循環状態調節装置
Ｓ  熱供給システム
【図１】
0005745882.tif 000002
【図２】
0005745882.tif 000003
【図３】
0005745882.tif 000004
【図４】
0005745882.tif 000005
【図５】
0005745882.tif 000006